(57)【要約】【課題】圧縮用ケーシングの気密性を高めることができる圧縮吹付機を提供する。【解決手段】吹付け材Ｐを圧縮エアーの圧力にて送り出す圧縮吹付機を設ける。吹付け材Ｐを先端側内部で押し固める圧縮用ケーシング１０を設ける。押し固めた吹付け材Ｐを押し出すエアー混入用ケーシング２０を設ける。エアー混入用ケーシング２０内で吹付け材Ｐをほぐして圧縮エアーで送り出する。圧縮用ケーシング１０の先端側に弾性材３１を環状に配設する。押し固められた吹付け材Ｐの周囲に弾性材３１が密着するように構成する。【選択図】  図１
2019210718.tif 000002
【特許請求の範囲】
【請求項１】
コンクリートやモルタル等の吹付け材を圧縮用ケーシング内に連続的に送り込み、該圧縮用ケーシングの先端側内部で押し固めると共に、押し固めた吹付け材を圧縮用ケーシングの先端側外部に設けられたエアー混入用ケーシング内に押し出すと共に、該エアー混入用ケーシング内でほぐされた吹付け材が圧縮エアーの圧力にて送り出されるように構成した圧縮吹付機において、
前記圧縮用ケーシングの先端側に弾性材を環状に配設し、押し固められた前記吹付け材が前記エアー混入用ケーシング内に押し出される前に、該弾性材が吹付け材の周囲に密着するように構成したことを特徴とする圧縮吹付機。
【請求項２】
前記圧縮用ケーシングの先端部に固形保持筒を着脱自在に装着し、該固形保持筒に環状を成した前記弾性材を着脱自在に配置するように構成した請求項１記載の圧縮吹付機。
【請求項３】
前記弾性材は、環状を成した薄い前記弾性材を複数枚重ねると共に、前記固形保持筒により、重ねた複数枚の弾性材を圧着して一体化するように構成した請求項２記載の圧縮吹付機。
【請求項４】
前記弾性材は、環状の内周面から突出する環状の突条を有する請求項１乃至３いずれか記載の圧縮吹付機。
【発明の詳細な説明】
【技術分野】
【０００１】
本発明は、例えば、撹拌装置や破砕装置で細かく破砕された吹付け材を、圧縮エアーを利用して法面等に吹付ける際に使用する圧縮吹付機に関するものである。
【背景技術】
【０００２】
この種の吹付機として、例えば、特許文献１に示す構成の吹付機が開示されている。この吹付機は、ホッパーの下に円筒を設け、ホッパーからこの円筒にコンクリートやモルタル等の吹付け材を供給し、円筒内のスクリュウ軸を円筒先端側へ延出させて形成した延出部に吹付け材を送り、この延出部で吹付け材を圧縮するように構成したものである。
【０００３】
そして、この延出部の軸端付近で、コンプレッサに接続する噴気筒と、散布ホースを接続する排出筒とを対向させて円筒に開口するとともに、この開口部付近に圧縮した吹付け材を細かくほぐすために、ほぐし翼を取付けている。
【０００４】
この吹付機は、ほぐし翼とスクリュウ軸の延出部との間に送った吹付け材を圧縮して円筒を閉塞することで、スクリュウコンベヤで送り出す吹付け材の量を一定にするようにした構成である。ところが、比較的柔らかな流動し易い吹付け材を送り出すと、吹付け材が固まり難くなるため、円筒の先端側に閉塞部が形成されなくなる場合があった。
【０００５】
そこで当出願人は、先に、柔らかな吹付け材でも確実に押し固めて閉塞状態を維持できる送給装置を提案している（特許文献２）。
【０００６】
この送給装置は、吹付け材を搬送する圧縮用ケーシングの先端開口部がわに、この先端開口部を開閉する開閉機構を設けたものである。そして、吹付け材を押し固める際に、圧縮用ケーシングの先端開口部分を閉じておき、吹付け材を押し固めた後、圧縮用ケーシングの先端を開いて固まった吹付け材を押し出す構成である。
【０００７】
更に、圧縮用ケーシングの先端から押し出される吹付け材は、この圧縮用ケーシングに隣接するエアー混入用ケーシング内で細かくほぐされた後、エアー混入用ケーシングに導入される圧縮エアーで搬送されるものである。
【先行技術文献】
【特許文献】
【０００８】
【特許文献１】特許第２７２９５７２号公報
【特許文献２】特許第４７０２６８３号公報
【発明の概要】
【発明が解決しようとする課題】
【０００９】
特許文献２の送給装置によって、比較的流動性の良い吹付け材でも確実に押し固めることが可能になった。ところが、固めた吹付け材を押し出す際に、細かくした材料を圧縮搬送するための圧縮エアーが圧縮用ケーシングの内部に逆流する現象が生じることがあった。
【００１０】
この逆流現象は、押し固めた吹付け材と圧縮用ケーシングの内壁との隙間から圧縮エアーの一部が圧縮用ケーシング内に侵入することで発生していることが判った。
【００１１】
すなわち、金属製の圧縮用ケーシング内で木材や草等を粉砕した材料を圧縮すると、これらの材料の弾性力にて圧縮用ケーシング内と材料との間に隙間は生じない。したがって、このような弾性力のある材料では圧縮空気の逆流は発生しなかった。
【００１２】
ところが、砂を含んだ材料を圧縮用ケーシング内で圧縮すると、圧縮用ケーシングの硬質な内壁と、材料に含まれている砂の粒状形状とで僅かな隙間が生じることになる。但し、材料が静止した状態で圧縮すると隙間が極めて少なくなるのでまだ逆流は発生しないが、圧縮した材料を先端方向に移動させると、金属製の圧縮用ケーシングの内側と弾性力のない粒状物との僅かな隙間から圧縮空気が侵入する逆流が発生することが判った。
【００１３】
しかも、このような逆流現象が発生すると、圧縮用ケーシング内で圧縮した材料がこの逆流現象で崩れてしまうこともあった。更に、吹付け材を搬送する圧縮エアーが圧縮用ケーシング側に抜けてしまうので、材料を圧縮エアーで吹き付けることができなくなってしまう。
【００１４】
そこで本発明は、上述のような逆流現象の発生を防止するため、圧縮用ケーシングの気密性を高めることができる圧縮吹付機の提供を目的とするものである。
【課題を解決するための手段】
【００１５】
上述の目的を達成すべく本発明における第１の手段は、コンクリートやモルタル等の吹付け材Ｐを圧縮用ケーシング１０内に連続的に送り込み、該圧縮用ケーシング１０の先端側内部で押し固めると共に、押し固めた吹付け材Ｐを圧縮用ケーシング１０の先端側外部に設けられたエアー混入用ケーシング２０内に押し出すと共に、該エアー混入用ケーシング２０内でほぐされた吹付け材Ｐが圧縮エアーの圧力にて送り出されるように構成した圧縮吹付機において、
前記圧縮用ケーシング１０の先端側に弾性材３１を環状に配設し、
押し固められた前記吹付け材Ｐが前記エアー混入用ケーシング２０内に押し出される前に、該弾性材３１が吹付け材Ｐの周囲に密着するように構成したことにある。
【００１６】
第２の手段において、前記圧縮用ケーシング１０の先端部に固形保持筒３０を着脱自在に装着し、該固形保持筒３０に環状を成した前記弾性材３１を着脱自在に配置するように構成したものである。
【００１７】
第３の手段の前記弾性材３１は、環状を成した薄い前記弾性材３１を複数枚重ねると共に、前記固形保持筒３０により、重ねた複数枚の弾性材３１を圧着して一体化するように構成したものである。
【００１８】
第４の手段の前記弾性材３１は、環状の内周面から突出する環状の突条３１Ａを有するものである。
【発明の効果】
【００１９】
本発明の請求項１に記載のごとく、圧縮用ケーシング１０の先端側に弾性材３１を環状に配設し、押し固められた吹付け材Ｐがエアー混入用ケーシング２０内に押し出される前に、該弾性材３１が吹付け材Ｐの周囲に密着するように構成したことにより、圧縮用ケーシング１０の気密性を高めることができる。この結果、圧縮した吹付け材Ｐと圧縮用ケーシング１０の内壁との僅かな隙間から圧縮空気が逆流する現象を防止することに成功した。
【００２０】
請求項２のように、圧縮用ケーシング１０の先端部に固形保持筒３０を着脱自在に装着し、該固形保持筒３０に環状を成した弾性材３１を着脱自在に配置するように構成したことで、弾性材３１の交換を容易に行うことが可能になる。したがって、弾性材３１が消耗した場合に、新しい弾性材３１への交換作業が容易になる。
【００２１】
請求項３のごとく、弾性材３１は、環状を成した薄い前記弾性材３１を複数枚重ねると共に、固形保持筒３０により、重ねた複数枚の弾性材３１を圧着して一体化するように構成したものなので、弾性材３１を交換する際に、消耗した部分の弾性材３１を選択して交換することが可能になる。この結果、合理的なメンテナンスを行うことができる。
【００２２】
請求項４のように、弾性材３１は、環状の内周面から突出する環状の突条３１Ａを有するので、吹付け材Ｐに密着している弾性材３１からこの突条３１Ａが更に吹付け材Ｐに食い込み、圧縮空気の逆流をより確実に防止することができる。
【００２３】
このように本発明によると、圧縮用ケーシングの気密性を高めることが可能になり、圧縮エアーの逆流現象を防止することができるといった当初の目的を達成した。
【図面の簡単な説明】
【００２４】
【図１】本発明の一実施例を示す正断面図である。
【図２】(Ａ)乃至(Ｃ)は図１に示す各矢視線断面図であり、(Ａ)は矢視Ａ-Ａ線、(Ｂ)は矢視Ｂ-Ｂ線、(Ｃ)は矢視Ｃ-Ｃ線の断面図である。
【図３】本発明の一実施例を示す平面図である。
【図４】本発明の一実施例を示す側面図である。
【図５】本発明の固形保持筒に弾性材を装着する状態を示し、(イ)は正面図、(ロ)は側面図である。
【図６】本発明の弾性材に固形保持筒を固定する状態を示し、(イ)は正面図、(ロ)は側面図である。
【図７】本発明の弾性材に固形保持筒を固定した状態を示し、(イ)は正面図、(ロ)は側面図である。
【発明を実施するための形態】
【００２５】
本発明は、コンクリートやモルタル等の吹付け材Ｐを圧縮エアーにて法面等に吹付ける際に使用する。本発明の主な構成は、圧縮用ケーシング１０、エアー混入用ケーシング２０、固形保持筒３０を備えた構成である。
【００２６】
圧縮用ケーシング１０は、コンクリートやモルタル等の吹付け材Ｐを供給するホッパー１の下に設置される管状部材で、圧縮用ケーシング１０の基端部側の投入口１１に、ホッパー１から吹付け材Ｐが供給される。この圧縮用ケーシング１０の内部には、圧縮用回転羽根体１２が装着されている。そして、投入された吹付け材Ｐを圧縮用ケーシング１０の先端側に吹付け材Ｐを送り込み、この先端側で吹付け材を圧縮するように構成したものである（図１参照）。
【００２７】
エアー混入用ケーシング２０は、圧縮用ケーシング１０の先端側に設けられた収納部位で、圧縮用ケーシング１０の先端開口部を閉塞する閉塞機構２１が設けられている（図１参照）。この閉塞機構２１は、圧縮用ケーシング１０内で吹付け材Ｐを圧縮する際に、圧縮用ケーシング１０の先端開口部を閉鎖し、ある程度の量の吹付け材Ｐが圧縮された後、閉塞状態を解除することで、圧縮用ケーシング１０の先端から押し固められた吹付け材Ｐをエアー混入用ケーシング２０内に押し出すようにする。
【００２８】
図示の閉塞機構２１は、圧縮用ケーシング１０の先端方向で往復移動するシャフト２１Ａと、このシャフト２１Ａの一端に連結された封止盤２１Ｂとを備えている（図１参照）。そして、圧縮用ケーシング１０内で吹付け材Ｐが押し固められるまで、この封止盤２１Ｂで吹付け材Ｐを押し止めるようにしている（図３参照）。この吹付け材Ｐが圧縮用ケーシング１０内で押し固まった後は、閉塞機構２１を移動して閉塞部分を開放し、エアー混入用ケーシング２０内に吹付け材Ｐが押し出されるようにする。
【００２９】
押し固められた吹付け材Ｐがエアー混入用ケーシング２０内に押し出されると、このエアー混入用ケーシング２０内で吹付け材Ｐが細かくほぐされる。すなわち、エアー混入用ケーシング２０の下方に大きく突出している内部には押し固められた吹付け材Ｐを細かくほぐす回転羽根体２２が設けられている（図２参照）。そして、閉塞機構２１を開放してエアー混入用ケーシング２０の下方に押し出された吹付け材Ｐは、直下の回転羽根体２２によって細かくほぐされるものである（図４参照）。
【００３０】
このエアー混入用ケーシング２０の上部にはエアー送給口２３が設けられており、下部には吐出口２４が設けられている（図１参照）。エアー送給口２３からの圧縮エアーは、圧縮用ケーシング１０の先端から送り出される圧縮された吹付け材Ｐをエアー混入用ケーシング２０内に落とす作用もある。そして、圧縮空気を使用した搬送用エアーをエアー送給口２３から吐出口２４へ送ることによって細かくほぐされた吹付け材Ｐをエアー混入用ケーシング２０から搬送筒４０に送給するように構成している。この搬送筒４０には、別の経路から圧縮空気が送給され、搬送用エアーと共に吹付け材Ｐを所定の補強面等に吹き付ける圧力を高めるように構成している。
【００３１】
固形保持筒３０は、圧縮用ケーシング１０の先端に装着される部材で、この固形保持筒３０に、環状の弾性材３１が配設されている。そして、吹付け材Ｐがエアー混入用ケーシング２０内に押し出される前に、押し固められた吹付け材Ｐの周囲に弾性材３１が密着するように構成している（図１参照）。
【００３２】
弾性材３１は、圧縮用ケーシング１０の先端内側に直接装着することも可能である。また、図示例のように、エアー混入用ケーシング２０の先端側に設けた固形保持筒３０に弾性材３１を配設することも可能である（図１参照）。いずれの場合も、圧縮用ケーシング１０の先端側で押し固められた吹付け材Ｐが、エアー混入用ケーシング２０内に押し出される前に、該弾性材３１が吹付け材Ｐの周囲に密着することになる。
【００３３】
図示例の固形保持筒３０は、圧縮用ケーシング１０の先端に着脱自在に固定する収納ケース３２を備えたもので、この収納ケース３２に弾性材３１を交換自在に収納する（図５〜図７参照）。
【００３４】
この収納ケース３２は、圧縮用ケーシング１０の先端に設けられている連結フランジ１３に、連結ボルト１４でネジ止めされる（図５（ロ）参照）。また、収納ケース３２の各部の構成は、弾性材３１の底部を支持する湾曲した支持部３２Ａと、この支持部３２Ａの左右両端に揺動自在に設けられ弾性材３１の上部を固定する一対の固定部３２Ｂとを備えている（図５（イ）参照）。
【００３５】
そして、支持部３２Ａ内に弾性材３１を収納し、左右の固定部３２Ｂを閉じて弾性材３１の上部で連結すると、弾性材３１を装着した固形保持筒３０が完成する（図７（イ）参照）。圧縮用ケーシング１０内の圧縮用回転羽根体１２で送られた吹付け材Ｐは、この固形保持筒３０の弾性材３１の内側で圧縮されることになる（図１参照）。
【００３６】
また、図示の弾性材３１は、環状に形成した複数枚の弾性材３１で形成されている。そして、これらの弾性材３１を重合して収納ケース３２に収納するものである（図５（ロ）参照）。更に、各弾性材３１の上端にはでんでんボルト３１Ｂが設けられており、収納ケース３２に収納した各弾性材３１の位置調整を行うことができる（図６（イ）参照）。
【００３７】
本発明において、複数の弾性材３１を収納ケース３２に収納するには次の手順で行う。まず、収納ケース３２の固定部３２Ｂを開き、支持部３２Ａに弾性材３１をまとめて支持する(図５(イ)参照)。このとき、収納ケース３２は、圧縮用ケーシング１０の連結フランジ１３に固定している(図５(ロ)参照)。
【００３８】
次に、収納ケース３２の固定部３２Ｂを閉じて連結すると共に、でんでんボルト３１Ｂで各弾性材３１の位置を調整する(図６(イ)参照)。このとき、連結フランジ１３に設けられた押しボルト１５を締め付けて各弾性材３１の側面を圧着する(図６(ロ)参照)。この押しボルト１５の先端には、弾性材３１に当接する圧着板１５Ａが設けられている。
【００３９】
このように、弾性材３１の上下位置をでんでんボルト３１Ｂで調整し(図７(イ)参照)、弾性材３１の重なり方向の調整は押しボルト１５が調整するものである(図７(ロ)参照)。したがって、各弾性材３１の位置調整は、この押しボルト１５とでんでんボルト３１Ｂとで行うことになる。
【００４０】
また、複数枚重ねた弾性材３１の中に内周に沿って突出する突条３１Ａを形成してある（図７（ロ）参照）。図示の突条３１Ａは、内径の異なった環状の弾性材３１を別途形成し、この弾性材３１を適数枚重ねることで環状の弾性材３１の内部に突条３１Ａを形成したものである。このような突条３１Ａを形成することで、圧縮空気の逆流を強力に防止するものである。このとき、突条３１Ａを形成する弾性材３１の材質は、他の弾性材３１よりも硬度の高いものを使用する。
【００４１】
尚、本発明において、図示の構成に限定されるものではなく、圧縮用ケーシング１０やエアー混入用ケーシング２０、固形保持筒３０等の構成は、本発明の要旨を変更しない範囲での設計変更は自由に行える。
【符号の説明】
【００４２】
Ｐ  吹付け材
１  ホッパー
１０  圧縮用ケーシング
１１  投入口
１２  圧縮用回転羽根体
１３  連結フランジ
１４  連結ボルト
１５  押しボルト
１５Ａ  圧着板
２０  エアー混入用ケーシング
２１  閉塞機構
２２  回転羽根体
２３  エアー送給口
２４  吐出口
３０  固形保持筒
３１  弾性材
３１Ａ  突条
３１Ｂ  でんでんボルト
３２  収納ケース
３２Ａ  支持部
３２Ｂ  固定部
４０  搬送筒
【図１】
2019210718.tif 000003
【図２】
2019210718.tif 000004
【図３】
2019210718.tif 000005
【図４】
2019210718.tif 000006
【図５】
2019210718.tif 000007
【図６】
2019210718.tif 000008
【図７】
2019210718.tif 000009
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
コンクリートやモルタル等の吹付け材を圧縮用ケーシング内に連続的に送り込み、該圧縮用ケーシングの先端側内部で押し固めると共に、押し固めた吹付け材を圧縮用ケーシングの先端側外部に設けられたエアー混入用ケーシング内に押し出すと共に、該エアー混入用ケーシング内でほぐされた吹付け材が圧縮エアーの圧力にて送り出されるように構成した圧縮吹付機において、
前記圧縮用ケーシングの先端部に固形保持筒を着脱自在に装着し、該固形保持筒に環状を成した薄い弾性材を複数枚重ねると共に、重ねた複数枚の弾性材を圧着して一体化するように構成し、
押し固められた前記吹付け材が前記エアー混入用ケーシング内に押し出される前に、該弾性材が吹付け材の周囲に密着するように構成したことを特徴とする圧縮吹付機。
【請求項２】
前記弾性材は、環状の内周面から突出する環状の突条を有する請求項１記載の圧縮吹付機。
【手続補正２】
【補正対象書類名】明細書
【補正対象項目名】００１５
【補正方法】変更
【補正の内容】
【００１５】
上述の目的を達成すべく本発明における第１の手段は、コンクリートやモルタル等の吹付け材Ｐを圧縮用ケーシング１０内に連続的に送り込み、該圧縮用ケーシング１０の先端側内部で押し固めると共に、押し固めた吹付け材Ｐを圧縮用ケーシング１０の先端側外部に設けられたエアー混入用ケーシング２０内に押し出すと共に、該エアー混入用ケーシング２０内でほぐされた吹付け材Ｐが圧縮エアーの圧力にて送り出されるように構成した圧縮吹付機において、前記圧縮用ケーシング１０の先端部に固形保持筒３０を着脱自在に装着し、該固形保持筒３０に環状を成した薄い弾性材３１を複数枚重ねると共に、重ねた複数枚の弾性材３１を圧着して一体化するように構成し、押し固められた前記吹付け材Ｐが前記エアー混入用ケーシング２０内に押し出される前に、該弾性材３１が吹付け材Ｐの周囲に密着するように構成したことにある。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
第２の手段の前記弾性材３１は、環状の内周面から突出する環状の突条３１Ａを有するものである。
【手続補正６】
【補正対象書類名】明細書
【補正対象項目名】００２０
【補正方法】変更
【補正の内容】
【００２０】
圧縮用ケーシング１０の先端部に固形保持筒３０を着脱自在に装着し、該固形保持筒３０に環状を成した弾性材３１を着脱自在に配置するように構成したことで、弾性材３１の交換を容易に行うことが可能になる。したがって、弾性材３１が消耗した場合に、新しい弾性材３１への交換作業が容易になる。
【手続補正７】
【補正対象書類名】明細書
【補正対象項目名】００２１
【補正方法】変更
【補正の内容】
【００２１】
弾性材３１は、環状を成した薄い前記弾性材３１を複数枚重ねると共に、重ねた複数枚の弾性材３１を圧着して一体化するように構成したものなので、弾性材３１を交換する際に、消耗した部分の弾性材３１を選択して交換することが可能になる。この結果、合理的なメンテナンスを行うことができる。
【手続補正８】
【補正対象書類名】明細書
【補正対象項目名】００２２
【補正方法】変更
【補正の内容】
【００２２】
請求項２のように、弾性材３１は、環状の内周面から突出する環状の突条３１Ａを有するので、吹付け材Ｐに密着している弾性材３１からこの突条３１Ａが更に吹付け材Ｐに食い込み、圧縮空気の逆流をより確実に防止することができる。